(57)【特許請求の範囲】
【請求項１】
遊技台、遊技媒体収納部、遊技媒体供給／回収手段などを一体化して形成されたユニット式遊技島を横並びに据え付ける方法であって、水平に固定した基礎台の上辺部にユニット式遊技島を横並びに載置すると共に、前記横並びのユニット式遊技島それぞれの底板と、前記基礎台の上辺部下方に前記横並びのユニット式遊技島に亘って配設した固定具とにより、前記基礎台の上辺部を挟持して固定することにより、前記基礎台を介してユニット式遊技島を固定することを特徴とするユニット式遊技島の据付方法。
【請求項２】
遊技台、遊技媒体収納部、遊技媒体供給／回収手段などを一体化して形成されたユニット式遊技島を横並びに据え付ける方法であって、複数の基礎台を水平に列設固定すると共に、前記横並びのユニット式遊技島それぞれの底板と、前記列設した基礎台のそれぞれの上辺部下方に跨って配設した固定具とにより、前記列設した基礎台のそれぞれの上辺部を挟持して固定することにより、前記横並びのユニット式遊技島同士の連結と共に前記列設した基礎台の端部同士を連結し、前記基礎台を介してユニット式遊技島を固定することを特徴とするユニット式遊技島の据付方法。
【請求項３】
ユニット式遊技島一台分の横幅に対応する長さの基礎台と、複数台分の横幅に対応する長さの基礎台とを、横並びに据え付けるユニット式遊技島の台数に応じて適宜組み合わせて列設固定し、ユニット式遊技島を据え付けることを特徴とする請求項１または２記載のユニット式遊技島の据付方法。
【発明の詳細な説明】
【０００１】
【発明の属する技術分野】
本発明は、パチンコ機などの遊技台、パチンコ玉・メタルなどの遊技媒体を収納する収納部、これら遊技媒体を供給／回収する手段などを一体化して形成するユニット式遊技島の据付方法に関するものである。
【０００２】
【従来の技術】
従来、大半のパチンコ店においては、大工が現場施工して組み上げた木枠に、パチンコ遊技台を１台づつ固定することによって遊技島を形成している。そして、それぞれのパチンコ遊技台にパチンコ玉を供給／回収する経路は、床下や天井若しくはパチンコ遊技台の上方などに設置するようにしている。
【０００３】
しかし、既存の建屋を流用してパチンコ店を開業するような場合には、パチンコ玉の供給／回収経路を、床下や天井に構造上設けることができないことが多い。特に、天井の低い建屋でパチンコ店を開業するときには、パチンコ玉の供給／回収経路をパチンコ遊技台の上方に設けることが困難であるため、納入・設置するだけで開業することの可能な、パチンコ遊技台、遊技媒体収納部、遊技媒体供給／回収手段などを一体化した構成のユニット式パチンコ島の開発・改良が進んでいる。
【０００４】
上記構成のユニット式パチンコ島においては、かなり大型化するので、例えばトラックなどによって所要数を搬入すると、店内が忽ち狭くなる。このため、ユニット式パチンコ島の搬入後に水平出し作業を行っていたのでは、搬入・設置作業が捗らなくなるので、効率良く設置できるようにする必要があった。
【０００５】
なお、島台下部が嵌合可能であると共に、島台が配列・固定できるように構成し、且つ、床に固定できる手段を備えて略レール状に成形する鋼製の台座を予め床に敷設し、工場で単位ブロック（２台島、４台島、６台島）に分割形成した遊技島台を台座上部の端部に搬入し、台座上を摺動させながら遊技島台の他側から島台骨組みを順次設置し、この島台骨組みにパチンコ遊技台および付属機器を組み付けて据え付ける方法が、例えば実開平３−７８３号に開示されている。
【０００６】
しかし、この据付方法においては、島台骨組を摺動させる際に島台骨組みが浮き上がって台座から外れ易いと云う問題点があった。なお、島台骨組だけを摺動させる際には、島台骨組みが台座から部分的に外れても島台骨組みが軽いため、その自重で島台骨組みが変形すると云った不都合は生じない。
【０００７】
しかし、パチンコ遊技台や付属の機器を備えて重い場合には、島台骨組みが台座から部分的に外れると自重でその支柱や梁が変形するので、台座と嵌合し直しても摺動し難いのは勿論、パチンコ遊技台などを正常に組み付けることが困難になり、正常な遊技を提供できなくなると云った問題点があった。
【０００８】
【発明が解決しようとする課題】
したがって、パチンコ機などの遊技台、パチンコ玉・メタルなどの遊技媒体を収納する部分、これら遊技媒体を供給／回収する手段などが一体化され、重量物となっているユニット式遊技島を、簡単に水平に据え付けることができるようにする必要があった。
【０００９】
【課題を解決するための手段】
上記課題を解決するため本発明は、遊技台、遊技媒体収納部、遊技媒体供給／回収手段などを一体化して形成されたユニット式遊技島の据付方法において、
【００１０】
水平に固定した基礎台の上辺部にユニット式遊技島を横並びに載置すると共に、前記横並びのユニット式遊技島それぞれの底板と、前記基礎台の上辺部下方に前記横並びのユニット式遊技島に亘って配設した固定具とにより、前記基礎台の上辺部を挟持して固定することにより、前記基礎台を介してユニット式遊技島を固定するようにした第１の構成のユニット式遊技島の据付方法と、
【００１１】
複数の基礎台を水平に列設固定すると共に、前記横並びのユニット式遊技島それぞれの底板と、前記列設した基礎台のそれぞれの上辺部下方に跨って配設した固定具とにより、前記列設した基礎台のそれぞれの上辺部を挟持して固定することにより、前記横並びのユニット式遊技島同士の連結と共に前記列設した基礎台の端部同士を連結し、前記基礎台を介してユニット式遊技島を固定するようにした第２の構成のユニット式遊技島の据付方法と、
【００１２】
前記第１または第２の構成の据付方法において、ユニット式遊技島一台分の横幅に対応する長さの基礎台と、複数台分の横幅に対応する長さの基礎台とを、横並びに据え付けるユニット式遊技島の台数に応じて適宜組み合わせて列設固定し、ユニット式遊技島を据え付けるようにした第３の構成のユニット式遊技島の据付方法と、
を提供するものである。
【００１３】
【発明の実施の形態】
以下、本発明の実施形態として、例えばユニット式パチンコ島２０の据え付けを例に挙げて説明する。
【００１４】
（第１の実施の形態）
ユニット式パチンコ島２０は、例えば図５に示したように、パチンコ遊技台２１、遊技媒体であるパチンコ玉を貸し出す玉貸し機２２、遊技して獲得したパチンコ玉、すなわち補給玉を貯溜するために、パチンコ遊技台２１それぞれの下部に設置された補給玉貯溜部２３、パチンコ遊技台２１の外れ穴および補給玉貯溜部２３の底に開設した回収口に計数手段を介して連通する下部タンクと上部タンクからなる図示しないパチンコ玉収納部、このパチンコ玉収納部のパチンコ玉をパチンコ遊技台２１および玉貸し機２２にパチンコ玉を適宜供給したり、パチンコ玉収納部にパチンコ遊技台２１および補給玉貯溜部２３からパチンコ玉を回収したりする、図示しないパチンコ玉供給／回収手段などが一体化されると共に、図示しない多数のパチンコ玉を収納して形成されるものであり、図示しない電源に接続するだけでパチンコ遊技を可能とするものである。
【００１５】
ユニット式パチンコ島２０は、搬送性・強度などを考慮して、通常はそれぞれの面にパチンコ遊技台２１を２台づつ、合計４台配設し、全体としては幅と奥行の寸法が接近するように形成するが、それぞれの面にパチンコ遊技台２１を３台づつ、合計６台配設するように構成することなども可能である。
【００１６】
但し、それぞれの面にパチンコ遊技台２１を１台づつ配設し、合計２台のみからなる構成は、パチンコ玉供給／回収手段の所要個数が増加してコスト高を招くので、この構成の実施を妨げるものではないが、余り好ましい実施形態とは云えない。また、パチンコ遊技台２１・玉貸し機２２・補給玉貯溜部２３などを片面にのみ配設して、壁際などに設置可能な構成としたものであっても良い。
【００１７】
玉貸し機２２は、通常は図示したように各パチンコ遊技台２１の片側に設置されたり、横並びしているパチンコ遊技台２１同士の間に設置されるが、ユニット式パチンコ島２０に必ず設置されていなければならないと云うものではない。
【００１８】
また、ユニット式パチンコ島２０は、ワイヤーロープによって簡単に吊り上げ可能とするために、例えば図４に示したように上下両端部が拡張すると共に、上部拡張部に吊上穴２４が開設されたＩ型の吊上プレート２５を、上方に持ち上げると吊上穴２４が天板２６の上方に突出し、手を放すと自重で天板２６より吊上穴２４は勿論、吊上プレート２５の上端面も天板２６より下になるように、取付具２７によって左右両側の構造板部材２８に遊動可能に取り付けておく。
【００１９】
また、ユニット式パチンコ島２０は、底板２９の四隅にボルト差通穴３０を開設しておき、それぞれのボルト差通穴３０は下部側の前後もしくは側面パネルを外したときに覗いてボルト３１が上方から差し込めるように形成する。
【００２０】
１は、上記構成のユニット式パチンコ島２０を載置固定するためのＣ型チャンネル部材からなる基礎台であり、例えばユニット式パチンコ島２０の横幅Ｌ１の２倍の長さに切断してある。そして、２はこの基礎台の上辺部、３は上辺中央部に長手方向に全長に渡って開口している上面開口、４は底板、５は底板中央部に長手方向に所定の間隔で開設したアンカーボルト穴、６は側面開口である。
【００２１】
そして、この基礎台１を所定の間隔、すなわち上面開口３の中心同士をユニット式パチンコ島２０の前後に位置するボルト差通穴３０同士の間の寸法Ｌ２だけ隔てて、床４０の上に上面開口３を上に向けて水平に固定する。
【００２２】
基礎台１を水平に固定するためには、図示しない適宜の水準器を用いて、水平出しを行って、アンカーボルト７によって固定する。水平調節は例えば薄い鉄製の凹型板部材８などを基礎台１の下側に差し込んで高さ調節を行うことで可能となる。
【００２３】
そして、基礎台１それぞれの側面開口６から、固定具１０が両端部に、固定具１０Ａが中央部に位置するように、上辺部２・上面開口３の下側に潜入させる。
【００２４】
先ず、固定具１０の構成を説明すると、１１は天板であり、その幅は基礎台１の上面開口３の幅Ｌ３より広く、長さは基礎台１の内面幅Ｌ４より長く形成され、その中央部には貫通穴１２がある。そして、この貫通穴１２に臨んで前記ボルト３１が螺合可能なナット１３を天板１１の裏面に溶接により固定している。
【００２５】
また、固定具１０は、基礎台１への潜入時に天板１１が基礎台１の上辺部２に接近し、且つ、アンカーボルト７にナット１３が触れることがないように、天板１１の幅方向の端部から脚部１４を垂設している。
【００２６】
一方、固定具１０Ａは、貫通穴１２が天板１１の長手方向に２個開口し、それぞれの貫通穴１２に臨んでナット１３が天板１１の裏面に溶接固定されている。ナット１３（貫通穴１２）同士の間隔は、横並びに列設するユニット式パチンコ島２０のボルト差通穴３０同士の間隔Ｌ５に一致させてあり、その他の構成は固定具１０と同じである。
【００２７】
したがって、トラックなどで運んできたユニット式パチンコ島２０を、上方に引き出した左右両側の吊上プレート２５の吊上穴２４に図示しないワイヤロープのフックを掛けて吊り上げ、並設した基礎台１にその端部を合わせて１台目を載置したのち、ナット１３がボルト差通穴３０の下方に位置するように、固定具１０・１０Ａの位置をそれぞれ調節し、ボルト差通穴３０に上方からボルト３１を差し通してその先端部をナット１３にねじ込むと、ボルト３１の回転に連れてナット１３がボルト３１にはまり込んで、固定具１０・１０Ａは上昇し、これにより基礎台１の上辺部２がユニット式パチンコ島２０の底板２９と固定具１０・１０Ａそれぞれの天板１１との間に挟まれて、１台目のユニット式パチンコ島２０が床４０の上に、具体的には床４０に並設固定した基礎台１の上に固定される。
【００２８】
次に、２台目のユニット式パチンコ島２０を、１台目のユニット式遊技島２０と同様にして基礎台１の残りの部分に載置し、１台目のユニット式遊技島２０を固定している固定具１０Ａの残りのナット１３と、もう一つの固定具１０のナット１３に、対峙するボルト差通穴３０から差し通すボルト３１の先端部をねじ込んで、１台目のユニット式遊技島２０と同様に基礎台１の上に固定する。
【００２９】
なお、隣接しているユニット式パチンコ島２０同士は、例えば図６・図７に示した連結具３２などによって連結しておくことが好ましい。
【００３０】
この場合、ユニット式パチンコ島２０の構造板部材２８上部側に開口３３を設けておき、この開口に水平延設部を差し込んで下げ、螺子３４によって何れか一方の構造板部材２８に固定する連結具３２のフック部３５に、二枚の構造板部材２８を挟み込むと、隣接するユニット式パチンコ島２０同士が連結される。
【００３１】
上記構成の据付方法によれば、ユニット式遊技島２０が基礎台１に固定されると同時に、横並びに据え付けるユニット式遊技島２０同士が連結されるので、効率良く、しかも、頑強に据え付けることができる。
【００３２】
（第２の実施の形態）
基礎台１を複数個列設し、この上に複数のユニット式遊技島２０を横並びに固定して据え付ける実施形態を、第２の実施形態として図８に基づいて説明する。図８においても、理解を容易にするため、前記図面と同様の機能を持つ部分には同一の符号を付した。
【００３３】
前記第１の実施形態と同様にして、先ず２本の基礎台１を床４０の上に水平に並設固定し、その後それぞれの端部にさらに基礎台１を１本づつ継ぎ足す作業を所望の回数だけ繰り返して、基礎台１を所望の長さに水平に延設する。
【００３４】
そして、一番端の基礎台１の側面開口６から固定具１０Ａを上辺部２・上面開口３の下側に潜入させて、横並びさせるユニット式遊技島２０の端部同士が隣接する位置に移動し、さらに両端部には固定具１０を配設する。
【００３５】
なお、固定具１０Ａは、基礎台１を水平に並設固定する度に、側面開口６から潜入・移動させて、所定の位置に配設するようにしても良い。
【００３６】
そして、前記第１の実施形態と同様に、並設した基礎台１の端からユニット式パチンコ島２０を順次載置しては、ボルト３１を固定具１０・１０Ａのナット１３にねじ込んで、基礎台１の上辺部２をユニット式パチンコ島２０の底板２９と固定具１０・１０Ａの天板１１との間に挟んで、ユニット式パチンコ島２０を固定する。
【００３７】
上記構成の据付方法によれば、ユニット式遊技島２０が基礎台１に固定されると同時に、横並びに据え付けるユニット式遊技島２０同士が連結され、且つ、継ぎ足された基礎台１の端部同士が連結されるので、効率良く、しかも頑強に据え付けることができる。
【００３８】
なお、本発明は上記実施形態に限定されるものではないので、特許請求の範囲に記載の趣旨から逸脱しない範囲で各種の変形実施が可能である。
【００３９】
例えば、基礎台１として、ユニット式パチンコ島２０が１台設置できる長さのものも用意しておき、前記基礎台１と併用して、奇数台のユニット式遊技島２０が横並びできるように固定することができる。逆に、ユニット式パチンコ島２０の３台分以上の長さの基礎台１を用意しておき、必要に応じて継ぎ足したり切断して、所望の長さに調節して使用することもできる。
【００４０】
また、図９のように基礎台１の端部にも固定具１０Ａを配設してユニット式遊技島２０を列設固定しても良い。
【００４１】
また、図１０に示したように、天板１１の貫通穴１２にボルト３１Ａの螺子部を下側から上方に貫通させ、ボルト３１Ａの頭を天板１１の裏面にすみ肉溶接などで固定してボルト３１Ａを立設した固定具１０Ｂを用いて、ユニット式パチンコ島２０を基礎台１上に固定して据え付けるようにすることもできる。
【００４２】
この場合、ユニット式パチンコ島２０の底板２９に開設するボルト差通穴３０は、ユニット式パチンコ島２０の横幅方向に幾分長く形成して、ボルト３１Ａが差し込み易くしておくことが好ましい。
【００４３】
また、基礎台１としては、所用部のみに上面開口３が開口している角パイプ状部材であっても良い。
【００４４】
また、並設固定した基礎台１によって据え付けたユニット式パチンコ島２０の末端の側面には、化粧板３６を貼り付けても良い。
【００４５】
また、上記本発明の据付方法は、ユニット式パチンコ島以外にも、ユニット式スロットマシン島・アミューズメントゲーム機島などの据付にも適用できる。
【００４６】
【発明の効果】
本発明は上記したように、床上に水平に並設固定した基礎台上に、吊り上げるなどして載置したユニット式遊技島と、基礎台に潜入させた固定具の位置合わせを行って、ボルトで締め付けて固定するだけであるので、据え付け作業が容易であり、且つ、重いユニット式遊技島を無理やり摺動させると云った作業がないので、据付時に形状が歪になると云った不都合が生じることもない。
【００４７】
特に、請求項１に係わる据付方法においては、ユニット式遊技島が基礎台に固定されると同時に、横並びに据え付けるユニット式遊技島同士が連結されるので、効率良く、しかも、頑強に据え付けることができる。
【００４８】
また、請求項２に係わる据付方法においては、ユニット式遊技島が基礎台に固定されると同時に、継ぎ足された基礎台の端部同士が連結されるので、効率良く、しかも頑強に据え付けることができる。
【００４９】
また、請求項３に係わる据付方法においては、ユニット式遊技島が単数設置から多数設置まで、設置先の要望通りの据え付け作業が容易に行える。
【図面の簡単な説明】
【図１】第１の実施形態による据え付け状態を一部切欠左側面図で示す説明図。
【図２】第１の実施形態による据え付け状態を正面図で示す説明図。
【図３】第１の実施形態に使用した基礎台と固定具の説明図。
【図４】吊上手段の説明図。
【図５】ユニット式パチンコ島の構成を示す説明図。
【図６】隣接するユニット式遊技島同士の連結要領を示す説明図。
【図７】隣接するユニット式遊技島同士の連結要領を側面図で示す説明図。
【図８】第２の実施形態による据え付け状態を正面図で示す説明図。
【図９】変形実施形態を正面図で示す説明図。
【図１０】固定具の他の実施形態を示す説明図。
【符号の説明】
１  Ｃ型チャンネル部材
２  上辺部
３  上面開口
４  底板
５  アンカーボルト穴
６  側面開口
７  アンカーボルト
８  凹型板部材
１０・１０Ａ・１０Ｂ  固定具
１１  天板
１２  貫通穴
１３・１３Ａ  ナット
１４  脚部
２０  ユニット式パチンコ島
２１  パチンコ遊技台
２２  玉貸し機
２３  補給玉貯溜部
２４  吊上穴
２５  吊上プレート
２６  天板
２７  取付具
２８  構造板部材
２９  底板
３０  ボルト差通穴
３１・３１Ａ  ボルト
３２  連結具
３３  開口
３４  螺子
３５  フック部
４０  床
【図１】
0003902821.tif 000002
【図２】
0003902821.tif 000003
【図３】
0003902821.tif 000004
【図４】
0003902821.tif 000005
【図５】
0003902821.tif 000006
【図６】
0003902821.tif 000007
【図７】
0003902821.tif 000008
【図８】
0003902821.tif 000009
【図９】
0003902821.tif 000010
【図１０】
0003902821.tif 000011